(57)【特許請求の範囲】
【請求項１】
農業用太陽光制御フィルムにおいて、
入射面と出射面とを有するフィルム基材を備え、
フィルム基材の出射面に複数の凸状部が設けられ、
少なくとも１つの凸状部の少なくとも一部の面に親水性面が形成されており、
前記フィルム基材の出射面に、水を排出する帯状の排水溝が設けられており、
前記排水溝の表面は疎水性を有していることを特徴とする農業用太陽光制御フィルム。
【請求項２】
農業用太陽光制御フィルムにおいて、
入射面と出射面とを有するフィルム基材を備え、
フィルム基材の出射面に複数の凸状部が設けられ、
少なくとも１つの凸状部の少なくとも一部の面に親水性面が形成されており、
前記フィルム基材の出射面に、少なくとも一部の面に非親水性面が形成された凸状部が設けられていることを特徴とする農業用太陽光制御フィルム。
【請求項３】
各凸状部は多面体からなる単位プリズムからなることを特徴とする請求項１または２に記載の農業用太陽光制御フィルム。
【請求項４】
各単位プリズムは四角すい状の単位プリズムからなることを特徴とする請求項３記載の農業用太陽光制御フィルム。
【請求項５】
各凸状部は多角柱状の細長状プリズムからなることを特徴とする請求項１または２に記載の農業用太陽光制御フィルム。
【請求項６】
前記細長状プリズムは、三角柱状をなしていることを特徴とする請求項５記載の農業用太陽光制御フィルム。
【請求項７】
三角柱状の細長状プリズムの頂部に親水性面が形成されていることを特徴とする請求項６に記載の農業用太陽光制御フィルム。
【請求項８】
農業用太陽光制御フィルムにおいて、
入射面と出射面とを有するフィルム基材を備え、
フィルム基材の出射面に複数の凸状部が設けられ、
少なくとも１つの凸状部の少なくとも一部の面に親水性面が形成されており、
各凸状部は切頭四角すい状の単位プリズムからなることを特徴とする農業用太陽光制御フィルム。
【発明の詳細な説明】
【技術分野】
【０００１】
本発明は農業用太陽光制御フィルムに係り、とりわけ、ハウス内での水滴落下箇所を調整する農業用太陽光制御フィルムに関する。
【背景技術】
【０００２】
ハウスに設置される農業用太陽光制御フィルムにおいて、フィルム上に凹凸を設け、ハウス内の入射光量を調節するものが知られている（例えば、特許文献１参照）。特許文献１に記載される従来のフィルムは、フィルム上に全て一方向に沿った凹状を設けることにより、夏期の太陽の高度が高いときに光量を減少させ、冬期の太陽の高度が低いときに光量を増加させている。
【０００３】
しかしながら、従来のフィルムは、特に凸部で水滴が発生しやすく、この水滴が落下して作物に水滴がつくと、害虫や病気の温床となるという問題があった。
【先行技術文献】
【特許文献】
【０００４】
【特許文献１】特許第２９１０２９１号公報
【発明の概要】
【発明が解決しようとする課題】
【０００５】
本発明はこのような点を考慮してなされたものであり、ハウス内での水滴落下箇所を調整できる農業用太陽光制御フィルムを提供することを目的とする。
【課題を解決するための手段】
【０００６】
本発明の一態様による農業用太陽光制御フィルムは、入射面と出射面とを有するフィルム基材を備え、フィルム基材の出射面に複数の凸状部が設けられ、少なくとも１つの凸状部の少なくとも一部の面に親水性面が形成されていることを特徴とするものである。
【０００７】
本発明の一態様による農業用太陽光制御フィルムは、前記フィルム基材の出射面に、水を排出する帯状の排水溝が設けられていることを特徴とするものである。
【０００８】
本発明の一態様による農業用太陽光制御フィルムは、前記排水溝の表面は疎水性を有していることを特徴とするものである。
【０００９】
本発明の一態様による農業用太陽光制御フィルムは、前記フィルム基材の出射面に、少なくとも一部の面に非親水性面が形成された凸状部が設けられていることを特徴とするものである。
【００１０】
本発明の一態様による農業用太陽光制御フィルムは、各凸状部は多面体からなる単位プリズムからなることを特徴とするものである。
【００１１】
本発明の一態様による農業用太陽光制御フィルムは、各単位プリズムは四角すい状の単位プリズムからなることを特徴とするものである。
【００１２】
本発明の一態様による農業用太陽光制御フィルムは、各凸状部は多角柱状の細長状プリズムからなることを特徴とするものである。
【００１３】
本発明の一態様による農業用太陽光制御フィルムは、前記細長状プリズムは、三角柱状をなしていることを特徴とするものである。
【００１４】
本発明の一態様による農業用太陽光制御フィルムは、三角柱状の細長状プリズムの頂部に親水性面が形成されていることを特徴とするものである。
【００１５】
本発明の一態様による農業用太陽光制御フィルムは、各凸状部は切頭四角すい状の単位プリズムからなることを特徴とするものである。
【発明の効果】
【００１６】
本発明によれば、ハウス内での水滴落下箇所を調整し、作物に水滴が落下しないようにすることができる。
【図面の簡単な説明】
【００１７】
【図１】図１（ａ）〜（ｄ）は本発明の第１の実施の形態による農業用太陽光制御フィルムを示す図。
【図２】図２（ａ）（ｂ）は農業用太陽光制御フィルムが設置されるハウスを示す図。
【図３】図３はハウスに設置された農業用太陽光制御フィルムを示す図。
【図４】図４（ａ）〜（ｄ）は農業用太陽光制御フィルムの作用を示す図。
【図５】図５（ａ）（ｂ）は農業用太陽光制御フィルムの作用を示す図。
【図６】図６（ａ）（ｂ）は農業用太陽光制御フィルムの作用を示す図。
【図７】図７は季節による太陽の通り道の変化を示す図。
【図８】図８（ａ）〜（ｄ）は第１の実施形態の変形例を示す図。
【図９】図９（ａ）〜（ｄ）は第１の実施形態の変形例を示す図。
【図１０】図１０（ａ）〜（ｃ）は本発明の第２の実施の形態による農業用太陽光制御フィルムを示す図。
【図１１】図１１（ａ）〜（ｃ）は第２の実施形態の変形例を示す図。
【図１２】図１２（ａ）〜（ｃ）は第２の実施形態の変形例を示す図。
【図１３】図１３（ａ）（ｂ）は第２の実施形態の変形例を示す図。
【図１４】図１４（ａ）（ｂ）は第２の実施形態の変形例を示す図。
【図１５】図１５（ａ）（ｂ）は第２の実施形態の変形例を示す図。
【発明を実施するための形態】
【００１８】
以下、図面を参照して本発明の第１の実施形態について説明する。
【００１９】
（第１の実施形態）図１乃至図７は第１の実施形態による農業用太陽光制御フィルムを示す図である。
【００２０】
まず図２（ａ）（ｂ）により、農業用太陽光制御フィルム１０が設置されるハウス２０について説明する。
【００２１】
ハウス２０内には草丈約２ｍの植物２１が１ｍ間隔で植えられている。ハウス２０は、高さ３．５ｍの側壁２３を有し、側壁２３上部には農業用太陽光制御フィルム１０が設置され、この農業用太陽光制御フィルム１０はハウス２０の頂部を構成する。
【００２２】
ハウス２０の全高は５．５ｍとなっており、農業用太陽光制御フィルム１０は、水平面に対して約２３°の傾斜角をもって配置されている。またハウス２０の全長は８ｍとなっている。
【００２３】
図２（ａ）に示すように、冬期には太陽光Ｌは水平面に対して最大約３２°の傾斜角でハウス２０へ入射し、図２（ｂ）に示すように、夏期には太陽光Ｌは最大約７８°の傾斜角でハウス２０へ入射する。
【００２４】
このように太陽光は、夏期と冬期の間で南北方向に沿ってその高度が変化する。
【００２５】
また太陽光は一日の間でも、東西方向に沿ってその高度が変化する（図７参照）。
【００２６】
本実施形態による太陽光制御フィルムは、後述のように、太陽の高度が夏期と冬期の間で変化し、一日の間でも変化することを考慮し、太陽から効率良くハウス２０内へ太陽光を導くことができる。
【００２７】
次に本実施形態による農業用太陽光制御フィルムについて、更に説明する。
【００２８】
図１（ａ）（ｂ）（ｃ）（ｄ）に示すように、農業用太陽光制御フィルム１０は、入射面１１ａと出射面１１ｂとを有するフィルム基材１１からなり、フィルム基材１１の出射面１１ｂに多数の単位プリズム１２からなる凸状部が設けられている。また、出射面１１ｂは、親水性を有する親水性表面１１ｃになっている。図１（ｂ）、（ｄ）では親水性表面１１ｃを破線で示している。
【００２９】
各単位プリズム１２は、各々多面体、例えば四角すい状となっており、フィルム基材１１の出射面１１ｂに格子状に配置されている。
【００３０】
ここで図１（ａ）は農業用太陽光制御フィルム１０を示す裏面図であり、図１（ｂ）は図１（ａ）のＸ線方向断面図であり、図１（ｃ）は単位プリズム１２を示す図であり、図１（ｄ）は図１（ｄ）のＹ線方向断面図である。
【００３１】
各単位プリズム１２は、四角すい状をなしているため、各単位プリズム１２においてフィルム基材１１の入射面１１ａに入る一方向の太陽光の成分を屈折させて出射面１１ｂから出射させ、入射面１１ａに入る一方向に直交する他方向の太陽光の成分を屈折させて出射面１１ｂから出射させることができる。
【００３２】
また、四角すい状の単位プリズム１２の側面が親水性表面１１ｃとなっている。このことにより、出射面１１ｂ（親水性表面１１ｃ）に凝結・付着した水が液滴状とならずに薄い膜となり、農業用太陽光制御フィルム１０に沿って流れ落ちる。例えば、農業用太陽光制御フィルム１０は、図２（ａ）（ｂ）に示すように、ハウス２０の頂部に傾斜をもって配置される。そのため、出射面１１ｂに凝結・付着した水は、傾斜に沿ってハウス２０の側壁面へ流れていき、ハウス２０の側壁面を伝って地面に落下する。
【００３３】
フィルム基材１１の入射面１１ａに入る一方向が、夏期と冬期との間で太陽の高度が変化する南北方向であり、他方向が一日の間で太陽の高度が変化する東西方向の場合、各単位プリズム１２によって夏期と冬期との間で高度が変化する太陽光を屈折させてハウス２０内に導き、一日の間で高度が変化する太陽光を屈折させてハウス２０内に導くことができる。
【００３４】
次に農業用太陽光制御フィルム１０のフィルム基材１１の材料について述べる。
【００３５】
フィルム基材１１は、透光性を有するものであれば特に制限はないが、例えば、ポリ塩化ビニル、ポリオレフィン、酢酸ビニル、ポリエチレンなどのプラスチック系材質のフィルムやフッ素樹脂フィルムやガラス板などから選択することができる。
【００３６】
なかでも、保温性の観点からポリオレフィン材質のフィルムを用いたり、耐久性の観点からフッ素樹脂材質のフィルムを用いたりすることが望ましい。
【００３７】
フィルム基材１１の製造方法としては、プラスチック系材質であれば押し出しやインフレーションなど加熱溶融時にエンボスなど賦形を直接施すこともできるし、フィルム製造後に別途ＵＶ硬化樹脂などを表面塗布した後に、エンボス硬化させてもよい。
【００３８】
フィルム基材１１の厚さに特に制限はないが、例えば、７５μｍ〜１５０μｍの範囲とすることが好ましい。フィルム基材１１の厚さを上記範囲とすることで重量や原料コストを抑えつつ一定の強度を保つとすることができる。
【００３９】
次に、親水性表面１１ｃの製造方法について説明する。
【００４０】
例えば、フィルム基材１１に対しコロナ放電処理を施すことで、親水性を付与することができる。コロナ放電処理では、コロナ放電間をフィルム基材１１が通過することで、フィルム基材１１の表面に親水基が導入され、親水性表面１１ｃとなる。親水性の付与は、プラズマ照射や放射線照射などの他の処理により行ってもよい。
【００４１】
また、酸化チタンなどのナノ粒子をフィルム基材１１にコーティングして親水性表面１１ｃを形成してもよい。酸化チタンは太陽光の紫外線により親水性を示すようになる。あるいはまた、フィルム基材１１に界面活性剤をコーティングして親水性表面１１ｃを形成することもできる。
【００４２】
次にこのような構成からなる本実施の形態の作用について説明する。
【００４３】
１日の間で太陽の高さは東西方向に変化する。
【００４４】
図３および図４（ａ）（ｂ）（ｃ）（ｄ）に示すように、ハウス２０に設置された農業用太陽光制御フィルム１０に対して太陽光Ｌが入射する。このとき、朝と夕は太陽の高度が低く、昼は太陽の高度が高くなっている。
【００４５】
本実施の形態によれば、農業用太陽光制御フィルム１０はフィルム基材１１からなり、フィルム基材１１の出射面１１ｂに、正四角すい状の多数単位プリズム１２が格子状に配置されているので、この単位プリズム１２によって太陽光Ｌを屈折させて効率良くハウス２０内へ導くことができる。
【００４６】
ここで図３はハウス２０を示す概略斜視図であり、図４（ａ）（ｂ）はハウス２０内を異なる方向からみた図であり、図４（ｃ）は朝に農業用太陽光制御フィルム１０の単位プリズム１２を通る太陽光Ｌを示す図であり、図４（ｄ）は、夕に農業用太陽光制御フィルム１０の単位プリズム１２を通る太陽光Ｌを示す図である。
【００４７】
図３および図４（ａ）（ｂ）（ｃ）（ｄ）に示すように、朝夕は、太陽は低い位置にある。このとき、農業用太陽光制御フィルム１０に低い位置から斜めに入射する太陽光Ｌは、各単位プリズム１２を通って垂直方向に向って屈折してハウス２０内に出射される（図４（ａ）（ｃ）（ｄ））。
【００４８】
このように太陽光Ｌが各単位プリズム１２により垂直方向に向って屈折した後、ハウス２０内に出射される。このため、太陽光Ｌは植物２１間にも十分に達することができ、ハウス２０内の植物２１の略全体に効果的に光を導くことができる。
【００４９】
また昼においては、太陽は比較的高い位置にある。このとき、農業用太陽光制御フィルム１０に高い位置から入射する太陽光Ｌは、単位プリズム１２により、より垂直方向に向って屈折してハウス２０内に出射される（図４（ｄ））。
【００５０】
このため昼においては、ハウス２０内に出射される太陽光Ｌは植物２１の下方まで十分に行き渡ることになる。
【００５１】
なお、図４（ｃ）（ｄ）に示すように、朝夕で太陽の高度が対称に変化するため、東西方向に沿った単位プリズム１２の断面形状は、横方向長さ１０に対し高さ方向長さが５である二等辺三角形となっており、左右対称形となる。
【００５２】
他方、冬期と夏期の間でも太陽の高さが南北方向に変化する。
【００５３】
図５（ａ）（ｂ）および図６（ａ）（ｂ）に示すように、ハウス２０に設置された農業用太陽光制御フィルム１０に対して太陽光Ｌが入射する。このとき、冬期は太陽の高度が低く、夏期は太陽の高度が高くなっている。
【００５４】
農業用太陽光制御フィルム１０はフィルム基材１１からなり、フィルム基材１１の出射面１１ｂに、正四角すい状の多数単位プリズム１２が格子状に配置されているので、この単位プリズム１２によって太陽光Ｌを屈折させて効率良くハウス２０内へ導くことができる。
【００５５】
ここで図５（ａ）は冬期に農業用太陽光制御フィルム１０を通る太陽光Ｌを示す図であり、図５（ｂ）はそのときの単位プリズムの拡大図である。また図６（ａ）は夏期に、農業用太陽光制御フィルム１０を通る太陽光Ｌを示す図であり、図６（ｂ）はそのときの単位プリズムの拡大図である。
【００５６】
図５（ａ）（ｂ）に示すように、冬期、太陽は低い位置にある。このとき、農業用太陽光制御フィルム１０に低い位置から斜めに入射する太陽光Ｌは、各単位プリズム１２（の長面）を通って垂直方向に向って屈折してハウス２０内に出射される（図５（ａ）（ｂ））。
【００５７】
このように太陽光Ｌが各単位プリズム１２により垂直方向に向って屈折した後、ハウス２０内に出射される。このため太陽光Ｌは植物２１間にも十分に達することができ、ハウス２０内の植物２１の略全体に効果的に光を導くことができる。
【００５８】
また夏期においては、太陽は比較的高い位置にある。このとき、農業用太陽光制御フィルム１０に高い位置から入射する太陽光Ｌは、単位プリズム１２により、より垂直方向に向って屈折してハウス２０内に出射される（図６（ａ）（ｂ））。このため夏期においては、ハウス２０内に出射される太陽光Ｌは植物２１の下方まで十分に行き渡ることになる。
【００５９】
なお、図５（ａ）（ｂ）および図６（ａ）（ｂ）に示すように、夏期と冬期では太陽の高度が非対称に変化するため、南北方向に沿った単位プリズム１２の断面形状は横方向長さ１０に対し高さ方向長さが５となっており、頂点から下ろした垂線により横方向長さは８：２に分けられ、左右非対称となっている。太陽光制御フィルム１０が水平面に対して傾斜角２３°で配置された場合、単位プリズム１２の鋭角部１２Ａの角度を２３°とすることで、単位プリズム１２の長辺（長面）と地面とのなす角度が約４５°となる。このため太陽光を４５°だけ曲げたい場合、単位プリズム１２を抜ける光の屈折を気にすることはなく、設計が容易となる。
【００６０】
また、農業用太陽光制御フィルム１０は出射面１１ｂが親水性表面１１ｃになっている。そのため、出射面１１ｂ（親水性表面１１ｃ）に凝結・付着した水は液滴ではなく、薄い膜になる。農業用太陽光制御フィルム１０は傾斜をつけてハウス２０に設置されており、薄い水膜はこの傾斜に沿ってハウス２０の側壁面へ流れていき、ハウス２０の側壁面を伝って地面に落下する。そのため、ハウス２０内に水滴が落下して作物に水滴がつくことを防止することができる。
【００６１】
（第１の実施形態の変形例）次に図８〜図９により第１の実施形態の変形例について説明する。
【００６２】
図８（ａ）は変形例による農業用太陽光制御フィルム１０を示す平面図であり、図８（ｂ）は図８（ａ）のＸ線方向断面図であり、図８（ｃ）は単位プリズム１２を示す斜視図であり、図８（ｄ）は図８（ａ）のＹ線方向断面図である。
【００６３】
上記第１の実施形態では単位プリズム１２は四角すい状をなしていたが、図８（ａ）（ｂ）（ｃ）に示すように、切頭四角すい状をなし、頂面１２ａを有した形状にしてもよい。単位プリズム１２の側面及び頂面１２ａは親水性表面１１ｃになっている。
【００６４】
このように、単位プリズム１２を切頭四角すい状にすることで、出射面１１ｂ（親水性表面１１ｃ）に凝結・付着した水がさらに液滴になりにくくなり、ハウス２０内に水滴が落下して作物に水滴がつくことをさらに効果的に防止することができる。
【００６５】
次に図９（ａ）（ｂ）（ｃ）（ｄ）により第１の実施形態の他の変形例について説明する。これは、図８（ａ）（ｂ）（ｃ）（ｄ）に示す農業用太陽光制御フィルム１０に、さらに帯状の排水用溝１５を設けた構成になっている。
【００６６】
ここで図９（ａ）は農業用太陽光制御フィルム１０を示す平面図であり、図９（ｂ）は図９（ａ）のＸ線方向断面図であり、図９（ｃ）は単位プリズム１２を示す斜視図であり、図９（ｄ）は図９（ａ）のＹ線方向断面図である。
【００６７】
図９（ａ）（ｄ）に示すように、排水用溝１５は、単位プリズム１２が形成されない領域に対応している。排水用溝１５の周囲の単位プリズム１２上の水膜は、排水用溝１５に到達すると、この排水用溝１５に沿ってハウス２０の側壁面へ流れていく。このような排水用溝１５を設けることで、出射面１１ｂ（親水性表面１１ｃ）に凝結・付着した水を速やかに農業用太陽光制御フィルム１０上から排出することができる。
【００６８】
なお、この排水用溝１５の表面は、親水性表面１１ｃよりも親水性が低く、疎水性を有していてもよい。排水用溝１５の表面を疎水性にすることで、水が速やかに流すことができる。
【００６９】
（第２の実施形態）次に図１０（ａ）（ｂ）（ｃ）により、第２の実施形態による農業用太陽光制御フィルムについて説明する。なお図１０（ａ）（ｂ）（ｃ）に示す第２の実施の形態において、図１に示す第１の実施の形態と同一部分には同一符号を付して詳細な説明は省略する。
【００７０】
図１０（ａ）（ｂ）（ｃ）に示すように、農業用太陽光制御フィルム１０は、入射面１１ａと出射面１１ｂとを有するフィルム基材１１からなり、フィルム基材１１の出射面１１ｂに多数の細長状プリズム３２からなる凸状部が設けられている。細長状プリズム３２は多角柱状、例えば三角柱状となっており、一方向に延びている。また、出射面１１ｂは、親水性を有する親水性表面１１ｃになっている。
【００７１】
ここで図１０（ａ）は農業用太陽光制御フィルム１０を示す裏面図であり、図１０（ｂ）は図１０（ａ）のＸ線方向断面図であり、図１０（ｃ）は細長状プリズム３２を示す図である。
【００７２】
例えば、フィルム基材１１のうち、細長状プリズム３２の頂角は９０°、細長状プリズム３２の長辺の傾斜角は２３°となっている。またフィルム基材１１のうち入射面１１ａから細長状プリズム３２の谷部までの高さは１００μｍ、細長状プリズム３２の配置ピッチは２００μｍとなっている。
【００７３】
図１０（ａ）（ｂ）（ｃ）に示すように、フィルム基材１１の出射面１１ｂに細長状プリズム３２を設ける場合、フィルム基材１１に単位プリズム１２を設ける場合に比べて、成形が容易となる。
【００７４】
フィルム基材１１の入射面１１ａに入る太陽光は、細長状プリズム３２で屈折して出射面１１ｂから出射される。例えば、細長状プリズム３２は、夏期と冬期との間で高度が変化する太陽光を屈折させてハウス２０内に導くことができる。また、農業用太陽光制御フィルム１０の設置方向を変えることで、細長状プリズム３２は、一日の間で高度が変化する太陽光を屈折させてハウス２０内に導くことができる。
【００７５】
図１０（ａ）（ｂ）（ｃ）に示すように、農業用太陽光制御フィルム１０は出射面１１ｂが親水性表面１１ｃになっている。そのため、出射面１１ｂ（親水性表面１１ｃ）に凝結・付着した水は液滴ではなく、薄い膜になる。農業用太陽光制御フィルム１０は傾斜をつけてハウス２０に設置されており、薄い水膜はこの傾斜に沿ってハウス２０の側壁面へ流れていき、ハウス２０の側壁面を伝って地面に落下する。そのため、ハウス２０内に水滴が落下して作物に水滴がつくことを防止することができる。
【００７６】
（第２の実施形態の変形例）次に図１１〜図１５により第２の実施形態の変形例について説明する。
【００７７】
図１１（ａ）（ｂ）（ｃ）に示す農業用太陽光制御フィルム１０は、図１０に示す第２の実施形態に係る農業用太陽光制御フィルム１０に、さらに排水用溝３５を設けた構成になっている。
【００７８】
ここで図１１（ａ）は農業用太陽光制御フィルム１０を示す平面図であり、図１１（ｂ）は図１１（ａ）のＸ線方向断面図であり、図１１（ｃ）は図１１（ａ）のＹ線方向断面図である。
【００７９】
排水用溝３５は、細長状プリズム３２が形成されていない領域に対応している。図１１（ａ）（ｂ）（ｃ）に示す例では、Ｙ線方向に沿って隣り合う細長状プリズム３２の間の部分が排水用溝３５となり、排水用溝３５は図１１（ａ）のＸ線方向に延びている。
【００８０】
排水用溝３５の周囲の細長状プリズム３２上の水膜は、排水用溝３５に到達すると、この排水用溝３５に沿ってハウス２０の側壁面へ流れていく。このような排水用溝３５を設けることで、出射面１１ｂ（親水性表面１１ｃ）に凝結・付着した水を速やかに農業用太陽光制御フィルム１０上から排出することができる。
【００８１】
排水用溝３５の表面は撥水性を有していてもよい。排水用溝３５の表面を撥水性にすることで、水がハウス２０の側壁面へ速やかに流れていく。
【００８２】
図１１（ａ）（ｂ）（ｃ）に示す農業用太陽光制御フィルム１０は、細長状プリズム３２が延びる方向と排水用溝３５が延びる方向とが直行していたが、図１２（ａ）（ｂ）（ｃ）に示すように、直行していなくてもよい。
【００８３】
ここで図１２（ａ）は農業用太陽光制御フィルム１０を示す平面図であり、図１２（ｂ）は図１２（ａ）のＸ線方向断面図であり、図１２（ｃ）は図１２（ａ）のＹ線方向断面図である。
【００８４】
次に図１３（ａ）（ｂ）により第２の実施形態の他の変形例について説明する。上記第２の実施形態では、出射面１１ｂの全面を親水性表面１１ｃにしていたが、図１３（ａ）（ｂ）に示すように、出射面１１ｂの一部を非親水性表面１１ｄにしてもよい。非親水性表面１１ｄは、出射面１１ｂの一部について親水化処理を行わないことで得られる。
【００８５】
ここで図１３（ａ）は農業用太陽光制御フィルム１０を示す平面図であり、図１３（ｂ）は図１３（ａ）のＸ線方向断面図である。
【００８６】
非親水性表面１１ｄでは、親水性表面１１ｃと比較して、凝結・付着した水が液滴になりやすい。そのため、親水性表面１１ｃの水膜は非親水性表面１１ｄに到達すると、水滴としてハウス２０内に落下する。非親水性表面１１ｄが、作物を定植しない場所の上方に位置するように農業用太陽光制御フィルム１０を配置することが好ましい。このように、水滴が生じやすい箇所を意図的に作り、水滴落下箇所を調整することで、作物に水滴がつくことを防止することができる。
【００８７】
図１３（ａ）（ｂ）に示す例では、非親水性表面１１ｄが図１３（ａ）のＸ線方向、Ｙ線方向のそれぞれに沿って帯状に設けられているが、図１４（ａ）（ｂ）に示すように、所定の狭領域を非親水性表面１１ｄにしてもよい。
【００８８】
ここで図１４（ａ）は農業用太陽光制御フィルム１０を示す平面図であり、図１４（ｂ）は図１４（ａ）のＸ線方向断面図である。
【００８９】
図１４（ａ）（ｂ）に示すような非親水性表面１１ｄが、ハウス２０の柱や配管の付近に位置するように農業用太陽光制御フィルム１０を配置することが好ましい。ハウス２０の柱や配管の付近には作物が定植されず、非親水性表面１１ｄから落下した水滴が作物につくことを防止できるためである。
【００９０】
次に図１５（ａ）（ｂ）により第２の実施形態の他の変形例について説明する。上記第２の実施形態では、細長状プリズム３２の側面の全体を親水性表面１１ｃにしていたが、図１５（ａ）（ｂ）に示すように、細長状プリズム３２の頂部のみを親水性表面１１ｃにしてもよい。
【００９１】
ここで図１５（ａ）は農業用太陽光制御フィルム１０を示す平面図であり、図１５（ｂ）は図１５（ａ）のＸ線方向断面図である。
【００９２】
細長状プリズム３２の頂部は、水滴が生じやすい部分であり、この頂部のみを親水性表面１１ｃとすることでも、ハウス２０内に水滴が落下して作物に水滴がつくことを防止することができる。
【００９３】
また、図１０〜図１５に示す農業用太陽光制御フィルム１０において、細長状プリズム３２を、平坦な頂面を有する三角柱状としてもよい。
【００９４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９５】
１０  農業用太陽光制御フィルム
１１  フィルム基材
１１ａ  入射面
１１ｂ  出射面
１１ｃ  親水性表面
１２  単位プリズム
１２ａ  頂面
１５  排水用溝
２０  ハウス
３２  細長状プリズム
３５  排水用溝
【図１】
0005930384.tif 000002
【図２】
0005930384.tif 000003
【図３】
0005930384.tif 000004
【図４】
0005930384.tif 000005
【図５】
0005930384.tif 000006
【図６】
0005930384.tif 000007
【図７】
0005930384.tif 000008
【図８】
0005930384.tif 000009
【図９】
0005930384.tif 000010
【図１０】
0005930384.tif 000011
【図１１】
0005930384.tif 000012
【図１２】
0005930384.tif 000013
【図１３】
0005930384.tif 000014
【図１４】
0005930384.tif 000015
【図１５】
0005930384.tif 000016